(57)【要約】【課題】不使用時の段積スペースの縮小化を図った蓋体を提供すること。【解決手段】蓋体１０は、天板２０と、天板２０の外周縁２４から天板２０の下面２６が対向する領域を囲むように延設された側板３０，４０とを備える。短辺側側板３０は、天板２０の外周縁２４から傾斜する側壁３２を備える。長辺側側板４０は、天板２０の外周縁２４から側壁３２と同一の傾斜角で傾斜する側壁４２と、天板２０の外周縁２４から側壁４２よりも緩やかに傾斜する情報表示壁４４と、情報表示壁４４の両端において、情報表示壁４４と側壁４２に連なった状態で設けられた一対の連結部４６とを備える。【選択図】図２
2019147587.tif 000002
【特許請求の範囲】
【請求項１】
天板と、
前記天板の外周縁から前記天板の一面が対向する領域を囲むように延設された側板とを備え、
前記側板は、
前記天板の外周縁から傾斜する側壁と、
前記天板の外周縁から前記側壁よりも緩やかに傾斜する情報表示壁と、
前記情報表示壁の両端において、前記情報表示壁と前記側壁に連なった状態で設けられた一対の連結部とを備えることを特徴とする蓋体。
【請求項２】
前記天板の外周縁と平行な方向における前記情報表示壁の幅は、前記天板の外周縁から前記情報表示壁の先端へ向かうに連れて広くなることを特徴とする請求項１に記載の蓋体。
【請求項３】
前記側壁及び前記情報表示壁は、前記天板の外周縁から外方へ向かって傾斜し、
前記一対の連結部は、前記天板の外周縁から前記情報表示壁の先端へ向かうに連れて広くなることを特徴とする請求項１又は請求項２に記載の蓋体。
【発明の詳細な説明】
【技術分野】
【０００１】
本発明は、段積み可能な蓋体に関するものである。
【背景技術】
【０００２】
従来より、段積み可能な蓋体に関する技術が、種々提案されている。
【０００３】
例えば、下記特許文献１に記載の技術は、複数の半導体素子を規則的に配列して収容する収容部を有しかつ半導体素子を収容した状態で同じ容器を複数段に積み重ねることのできる、樹脂で一体成形された半導体素子用収容容器において、容器の側部に傾斜面を形成し、該傾斜面上に隆起又は窪みからなる識別マークを一体成形してなる。
【先行技術文献】
【特許文献】
【０００４】
【特許文献１】実公平６−４４８７１号公報
【０００５】
従って、上記特許文献１に記載の技術では、半導体素子が収容部に収容されている状態の容器に対して同じ容器が積み重ねられると、上段側の容器が蓋体の役割を果たす。
【発明の概要】
【発明が解決しようとする課題】
【０００６】
しかしながら、同じ容器が複数段に積み重ねられる場合には、半導体素子が収容部に収容されている状態にあるか否かに関係なく、上段側容器の側部の下端面が下段側容器の側部の上端面に載せられるので、下段側容器の側部が上段側容器の側部の内側へ入り込めなかった。
【０００７】
そのため、半導体素子が収容部に収容されていない状態の容器（つまり、不使用時の容器）が複数段積みされた際の段積み高さは、半導体素子が収容部に収容されている状態の容器（つまり、使用時の容器）が同数段積みされた際の段積み高さと変わらなかった。
【０００８】
そこで、本発明は、上述した点を鑑みてなされたものであり、不使用時の段積スペースの縮小化を図った蓋体を提供することを課題とする。
【課題を解決するための手段】
【０００９】
この課題を解決するためになされた請求項１に係る発明は、蓋体であって、天板と、天板の外周縁から天板の一面が対向する領域を囲むように延設された側板とを備え、側板は、天板の外周縁から傾斜する側壁と、天板の外周縁から側壁よりも緩やかに傾斜する情報表示壁と、情報表示壁の両端において、情報表示壁と側壁に連なった状態で設けられた一対の連結部とを備えることを特徴とする。
【００１０】
情報表示壁とは、例えば、ラベルの貼付、かんばんの保持、印刷、刻印、又は筆記等が行われることによって、蓋体に関する情報が表示される壁をいう。あるいは、情報表示壁とは、上記ラベルが貼付されるプレート、又は上記かんばんが保持されるホルダー等が固定される壁をいう。
【００１１】
請求項２に係る発明は、請求項１に記載の蓋体であって、天板の外周縁と平行な方向における情報表示壁の幅は、天板の外周縁から情報表示壁の先端へ向かうに連れて広くなることを特徴とする。
【００１２】
請求項３に係る発明は、請求項１又は請求項２に記載の蓋体であって、側壁及び情報表示壁は、天板の外周縁から外方へ向かって傾斜し、一対の連結部は、天板の外周縁から情報表示壁の先端へ向かうに連れて広くなることを特徴とする。
【発明の効果】
【００１３】
請求項１に係る発明の蓋体は、天板の外周縁から傾斜する側壁を備えている。従って、蓋体同士が段積みされると、上段側の蓋体の側壁と下段側の蓋体の側壁が重なる。そのため、天板の一面が上方を向いた状態で蓋体同士が段積みされると、上段側の蓋体の側壁が下段側の蓋体の側壁の内側へ入り込む。また、天板の一面が下方を向いた状態で蓋体同士が段積みされると、下段側の蓋体の側壁が上段側の蓋体の側壁の内側へ入り込む。よって、請求項１に係る発明の蓋体は、不使用時の段積スペースの縮小化を図ることが可能である。
【００１４】
更に、請求項１に係る発明の蓋体は、天板の外周縁から側壁よりも緩やかに傾斜する情報表示壁を備える。そのため、蓋体同士が段積みされると、上段側の蓋体の情報表示壁と下段側の蓋体の情報表示壁の間に隙間が形成される。よって、段積みされた蓋体の情報表示壁に、例えば、プレート又はホルダー等が固定されている場合には、プレート又はホルダー等が、上段側の蓋体の情報表示壁と下段側の蓋体の情報表示壁の間に形成された隙間に収まれば、上段側の蓋体の情報表示壁又は下段側の蓋体の情報表示壁に突き当たることを回避できる。
【００１５】
請求項２に係る発明の蓋体では、天板の外周縁と平行な方向における情報表示壁の幅が、天板の外周縁から情報表示壁の先端へ向かうに連れて広くなるため、金型成形時の型抜き性に優れる。また、情報表示壁においては、天板の外周縁と平行な方向に沿って表示される情報が、天板の外周縁から情報表示壁の先端へ向かうに連れて長く表示されることが可能となる。
【００１６】
請求項３に係る発明の蓋体では、側壁及び情報表示壁が天板の外周縁から外方へ向かって傾斜し、一対の連結部は、天板の外周縁から情報表示壁の先端へ向かうに連れて広くなるので、側板内の空間を広く確保することが可能である。
【図面の簡単な説明】
【００１７】
【図１】本発明の第１実施形態の蓋体が表された斜視図である。
【図２】同第１実施形態の蓋体が上下逆さまの状態で表された斜視図である。
【図３】同第１実施形態の蓋体が使用された状態で表された斜視図である。
【図４】同第１実施形態の各蓋体が５段で積み重ねられた状態で表された斜視図である。
【図５】図４の線Ａ−Ａで同第１実施形態の各蓋体を切断した断面が表された図である。
【図６】図５から、１段目と２段目にある同第１実施形態の各蓋体が抜粋されて表された図である。
【図７】本発明の第２実施形態の蓋体が表された斜視図である。
【図８】同第２実施形態の蓋体が上下逆さまの状態で表された斜視図である。
【図９】２段で積み重ねられた同第２実施形態の各蓋体を切断した断面が表された図である。
【図１０】２段で積み重ねられた同第２実施形態の各蓋体を切断した断面が表された図である。
【発明を実施するための形態】
【００１８】
（１）第１実施形態
以下、本発明に係る蓋体について、具体化した第１実施形態に基づき、図面を参照しつつ説明する。
【００１９】
（１−１）蓋体の概要
図１及び図２に表されたように、第１実施形態の蓋体１０は、天板２０、一対の短辺側側板３０、及び一対の長辺側側板４０等を備えており、ポリプロピレン等の樹脂を材料とした金型成形によって、一面が開放された四角錐台状に形作られている。
【００２０】
尚、図１及び図２において、符号Ｄ１の方向は、上下方向（つまり、蓋体１０の高さ方向）を示している。符号Ｄ２の方向は、各短辺側側板３０の幅方向を示している。符号Ｄ３の方向は、天板２０及び各長辺側側板４０の幅方向を示している。各方向Ｄ１，Ｄ２，Ｄ３は、互いに直交する関係にある。これらの点は、後述する図３乃至図６においても同様であり、更に、後述する第２実施形態で参照される図７乃至図１０においても同様である。
【００２１】
天板２０は、長方形状をなし、剛性を確保するための格子状リブ２２が設けられている。天板２０の外周縁２４からは、各短辺側側板３０及び各長辺側側板４０が延出している。各短辺側側板３０及び各長辺側側板４０は、それぞれ相対しており、天板２０の下面２６（図２参照）が対向する領域を囲んでいる。各短辺側側板３０は、天板２０の外周縁２４から外方へ向かって傾斜する側壁３２で構成されている。
【００２２】
各長辺側側板４０は、側壁４２、情報表示壁４４、及び一対の連結部４６で構成されている。側壁４２は、短辺側側板３０の側壁３２と同一の傾斜角度をもって、天板２０の外周縁２４から外方へ向かって延出している。
【００２３】
情報表示壁４４は、長辺側側板４０の幅方向Ｄ３において長辺側側板４０の中央に設けられており、側壁４２よりも緩やかに傾斜した状態で、天板２０の外周縁２４から外方へ向かって延出している。更に、長辺側側板４０の幅方向Ｄ３における情報表示壁４４の幅は、天板２０の外周縁２４から情報表示壁４４の先端へ向かうに連れて広くなる。つまり、情報表示壁４４の先端寄りに位置する情報表示壁４４の第１幅Ｗ１は、天板２０の外周縁２４寄りに位置する情報表示壁４４の第２幅Ｗ２よりも広い。
【００２４】
尚、情報表示壁４４では、その外面において、ラベルの貼付、かんばんの保持、印刷、刻印、又は筆記等が行われ、あるいは、上記ラベルが貼付されるプレート、又は上記かんばんが保持されるホルダー等が固定される。これらによって、情報表示壁４４においては、蓋体１０（で覆われる容器）に関する情報（例えば、容器の所有者名、容器の収容物の名称等）を表示することが可能である。これらの点は、後述する第２実施形態の情報表示壁１４４（図７等参照）においても同様である。
【００２５】
各連結部４６は、情報表示壁４４の両端において、情報表示壁４４と側壁４２に連なった状態で設けられている。これにより、長辺側側板４０の幅方向Ｄ３にける各連結部４６の間は、情報表示壁４４の幅と同様にして、天板２０の外周縁２４から情報表示壁４４の先端へ向かうに連れて広くなる。その広がる度合いは、短辺側側板３０の側壁３２の勾配以上とされている。また、短辺側側板３０の幅方向Ｄ２における各連結部４６の幅は、天板２０の外周縁２４から情報表示壁４４の先端へ向かうに連れて広くなる。
【００２６】
尚、以下の説明において、各短辺側側板３０及び各長辺側側板４０を区別せずに総称して説明する場合には、側板３０，４０と表記する。また、各短辺側側板３０の側壁３２及び各長辺側側板４０の側壁４２を区別せずに総称して説明する場合には、側壁３２，４２と表記する。
【００２７】
（１−２）蓋体の使用例
第１実施形態の蓋体１０は、例えば、図３に表されたように、パレットＰに載置されたダンボール箱Ｃの蓋として使用される。そのために、第１実施形態の蓋体１０は、側板３０，４０が天板２０の外周縁２４から下方へ延出する状態で使用される。これにより、ダンボール箱Ｃの上方開放口が天板２０で隠されると共に、ダンボール箱Ｃの各側壁上端部が側板３０，４０内に収められる。
【００２８】
尚、第１実施形態の蓋体１０をダンボール箱Ｃに固定するためのバンドが使用される場合には、そのバンドの位置を決めるための溝が天板２０又は側板３０，４０に設けられてもよい。また、第１実施形態の蓋体１０は、例えば、ダンボール箱Ｃ以外の容器に対する蓋として使用されてもよいし、あるいは、ワークのカバーとして使用されてもよい。
【００２９】
（１−３）蓋体の段積み
第１実施形態の蓋体１０は、蓋又はカバー等として使用されない場合には、段積みされた状態で保管されることが可能である。例えば、図４及び図５に表されたように、第１実施形態の蓋体１０は、５段で積み重ねられた状態でパレットＰに載置されることによって、保管される。
【００３０】
尚、以下の説明（図４乃至図６を含む）では、各段の蓋体について、上記蓋体１０と実質的に共通する部分には同一の符号を付することによって、詳しい説明を省略する。更に、下から１段目の蓋体に関する符号には英文字の「Ａ」を添付する。同様にして、下から２段目、３段目、４段目、及び５段目の各蓋体に関する符号には、英文字の「Ｂ」、「Ｃ」、「Ｄ」、及び「Ｅ」をそれぞれ添付する。但し、各段（の蓋体）を区別せずに総称する場合には、英文字の「Ａ」、「Ｂ」、「Ｃ」、「Ｄ」、及び「Ｅ」を添付しない。
【００３１】
図４及び図５では、５個の蓋体１０が、天板２０の下面２６を上方へ向けた状態で段積みされている。そのような段積みがなされると、１段目の蓋体１０Ａの短辺側側板３０Ａの側壁３２Ａの内面に対して、２段目の蓋体１０Ｂの短辺側側板３０Ｂの側壁３２Ｂの外面が重なる。また、１段目の蓋体１０Ａの長辺側側板４０Ａの側壁４２Ａの内面に対して、２段目の蓋体１０Ｂの長辺側側板４０Ｂの側壁４２Ｂの外面が重なる。これらにより、１段目の蓋体１０Ａと２段目の蓋体１０Ｂが段積みされる。
【００３２】
同様にして、２段目の蓋体１０Ｂと３段目の蓋体１０Ｃが段積みされ、３段目の蓋体１０Ｃと４段目の蓋体１０Ｄが段積みされ、４段目の蓋体１０Ｄと５段目の蓋体１０Ｅが段積みされる。
【００３３】
更に、図６に表されたように、１段目の蓋体１０Ａの長辺側側板４０Ａの情報表示壁４４Ａの内面と、２段目の蓋体１０Ｂの長辺側側板４０Ｂの情報表示壁４４Ｂの外面との間において、第１隙間Ｇ１が形成される。尚、図６は、１段目の蓋体１０Ａと２段目の蓋体１０Ｂが図５から抜粋されて表された図であって、第１隙間Ｇ１が明確に表されている。
【００３４】
第１隙間Ｇ１は、情報表示壁４４Ｂの内面と情報表示壁４４Ｃの外面との間、情報表示壁４４Ｃの内面と情報表示壁４４Ｄの外面との間、及び情報表示壁４４Ｄの内面と情報表示壁４４Ｅの外面との間においても形成される。これらは、蓋体１０の長辺側側板４０において、情報表示壁４４が側壁４２よりも緩やかに傾斜しているためである。
【００３５】
（２）第２実施形態
以下、本発明に係る蓋体について、具体化した第２実施形態に基づき、図面を参照しつつ説明する。尚、以下の説明では、各蓋体について、第１実施形態の蓋体１０と実質的に共通する部分には同一の符号を付することによって、詳しい説明を省略する。更に、各蓋体が積み重ねられた場合には、１段目の蓋体に関する符号には英文字の「Ａ」を添付し、２段目の蓋体に関する符号には英文字の「Ｂ」を添付する。但し、各段の蓋体を区別せずに総称する場合には、英文字の「Ａ」及び「Ｂ」を添付しない。
【００３６】
図７及び図８に表されたように、第２実施形態において、蓋体１００の各長辺側側板４０は、側壁４２、情報表示壁１４４、及び一対の連結部１４６で構成されている。
【００３７】
情報表示壁１４４は、長辺側側板４０の幅方向Ｄ３において長辺側側板４０の中央に設けられており、第１実施形態の情報表示壁４４よりも緩やかに傾斜した状態で、天板２０の外周縁２４から外方へ向かって延出している。そのように傾斜している情報表示壁１４４の両端には、一対の連結部１４６が情報表示壁１４４と側壁４２に連なった状態で設けられている。尚、長辺側側板４０の幅方向Ｄ３における情報表示壁１４４の幅は、第１実施形態の情報表示壁４４と同様であり、天板２０の外周縁２４から情報表示壁１４４の先端へ向かうに連れて広くなる。
【００３８】
長辺側側板４０の幅方向Ｄ３にける各連結部１４６の間は、第１実施形態の各連結部４６と同様であり、天板２０の外周縁２４から情報表示壁１４４の先端へ向かうに連れて広くなる。また、短辺側側板３０の幅方向Ｄ２における各連結部１４６の幅は、第１実施形態の各連結部４６と同様であり、天板２０の外周縁２４から情報表示壁１４４の先端へ向かうに連れて広くなる。
【００３９】
第２実施形態の蓋体１００は、蓋又はカバー等として使用されない場合には、段積みした状態で保管することが可能である。例えば、図９及び図１０に表されたように、第２実施形態の蓋体１００は、天板２０の下面２６を上方へ向けた状態で２段で積み重ねられることによって、保管される。
【００４０】
そのような段積みがなされると、１段目の蓋体１００Ａの短辺側側板３０Ａの側壁３２Ａの内面に対して、２段目の蓋体１００Ｂの短辺側側板３０Ｂの側壁３２Ｂの外面が重なる。また、１段目の蓋体１００Ａの長辺側側板４０Ａの側壁４２Ａの内面に対して、２段目の蓋体１００Ｂの長辺側側板４０Ｂの側壁４２Ｂの外面が重なる。これらにより、１段目の蓋体１００Ａと２段目の蓋体１００Ｂが段積みされる。
【００４１】
更に、１段目の蓋体１００Ａの長辺側側板４０Ａの情報表示壁１４４Ａの内面と２段目の蓋体１００Ｂの長辺側側板４０Ｂの情報表示壁１４４Ｂの外面の間において、第２隙間Ｇ２が形成される。第２隙間Ｇ２は、第１実施形態の第１隙間Ｇ１よりも広い。これは、蓋体１００の長辺側側板４０において、情報表示壁１４４が、第１実施形態の情報表示壁４４よりも緩やかに傾斜しているためである。尚、以下の説明では、第１隙間Ｇ１及び第２隙間Ｇ２を区別せずに総称して説明する場合には、隙間Ｇ１，Ｇ２と表記する。
【００４２】
（３）まとめ
以上詳細に説明したように、本実施形態の蓋体１０，１００は、天板２０の外周縁２４から傾斜する側壁３２，４２を備えている。従って、蓋体１０，１００同士が段積みされると、上段側の蓋体１０，１００の側壁３２，４２と下段側の蓋体１０，１００の側壁３２，４２が重なる。そのため、天板２０の下面２６が上方を向いた状態で蓋体同士１０，１００が段積みされると、上段側の蓋体１０，１００の側壁３２，４２が下段側の蓋体１０，１００の側壁３２，４２の内側へ入り込む。よって、本実施形態の蓋体１０，１００は、不使用時の段積スペースの縮小化を図ることが可能である。
【００４３】
この点は、天板２０の下面２６が下方を向いた状態で蓋体同士１０，１００が段積みされる場合（図示省略）においても、同様である。但し、そのような場合には、下段側の蓋体１０，１００の側壁３２，４２が上段側の蓋体１０，１００の側壁３２，４２の内側へ入り込む。
【００４４】
更に、本実施形態の蓋体１０，１００は、天板２０の外周縁２４から側壁４２よりも緩やかに傾斜する情報表示壁４４，１４４を備える。そのため、蓋体同士１０，１００が段積みされると、上段側の蓋体１０，１００の情報表示壁４４，１４４と下段側の蓋体１０，１００の情報表示壁４４，１４４の間に隙間Ｇ１，Ｇ２が形成される。
【００４５】
よって、段積みされた蓋体１０，１００の情報表示壁４４，１４４に、例えば、プレート又はホルダー等が固定されている場合には、プレート又はホルダー等が、上段側の蓋体１０，１００の情報表示壁４４，１４４と下段側の蓋体１０，１００の情報表示壁４４，１４４の間に形成された隙間Ｇ１，Ｇ２に収まれば、上段側の蓋体１０，１００の情報表示壁４４，１４４又は下段側の蓋体１０，１００の情報表示壁４４，１４４に突き当たることを回避できる。
【００４６】
本実施形態の蓋体１０，１００では、長辺側側板４０の幅方向Ｄ３における情報表示壁４４，１４４の幅が、天板２０の外周縁２４から情報表示壁４４，１４４の先端へ向かうに連れて広くなるため、金型成形時の型抜き性に優れる。また、情報表示壁４４，１４４においては、長辺側側板４０の幅方向Ｄ３に沿って表示される情報が、天板２０の外周縁２４から情報表示壁４４，１４４の先端へ向かうに連れて長く表示されることが可能となる。
【００４７】
本実施形態の蓋体１０，１００では、側壁３２，４２及び情報表示壁４４，１４４が天板２０の外周縁２４から外方へ向かって傾斜し、短辺側側板３０の幅方向Ｄ２における各連結部４６，１４６の幅は、天板２０の外周縁２４から情報表示壁４４，１４４の先端へ向かうに連れて広くなるので、側板３０，４０内の空間を広く確保することが可能である。
【００４８】
ちなみに、本実施形態において、天板２０の下面２６は、「天板の一面」の一例である。長辺側側板４０の幅方向Ｄ３は、「天板の外周縁と平行な方向」の一例である。情報表示壁４４の第１幅Ｗ１と第２幅Ｗ２は、「情報表示壁の幅」の一例である。
【００４９】
（４）変更例
尚、本発明は上記実施形態に限定されるものでなく、その趣旨を逸脱しない範囲で様々な変更が可能である。
例えば、側壁３２，４２及び情報表示壁４４，１４４は、天板２０の外周縁２４から内方へ向かって傾斜させてもよい。
【００５０】
情報表示壁４４，１４４は、長辺側側板４０において複数設けてもよく、また、短辺側側板３０において一又は複数設けてもよい。
【００５１】
天板２０は、正方形状であってもよいし、四角形状以外の多角形状であってもよいし、円形状であってもよい。
【００５２】
天板２０は、剛性が確保されるのであれば、格子状リブ２２が設けられなくてもよい。
【００５３】
側板３０，４０は、剛性をより高くするためのリブが設けられてもよい。
【符号の説明】
【００５４】
１０  蓋体
２０  天板
２４  天板の外周縁
２６  天板の下面
３０  短辺側側板
３２  側壁
４０  長辺側側板
４２  側壁
４４  情報表示壁
４６  連結部
１００  蓋体
１４４  情報表示壁
１４６  連結部
Ｗ１  情報表示壁の第１幅
Ｗ２  情報表示壁の第２幅
【図１】
2019147587.tif 000003
【図２】
2019147587.tif 000004
【図３】
2019147587.tif 000005
【図４】
2019147587.tif 000006
【図５】
2019147587.tif 000007
【図６】
2019147587.tif 000008
【図７】
2019147587.tif 000009
【図８】
2019147587.tif 000010
【図９】
2019147587.tif 000011
【図１０】
2019147587.tif 000012